(57)【要約】【課題】  点検作業中で利用者による呼び操作に応答しない状態であっても、車椅子利用者に対して迅速にエレベータの利用を可能にするエレベータおよびエレベータ制御方法を提供する。【解決手段】  実施形態によればエレベータは、建物の各階に設置された、乗場表示装置、一般利用者が乗場呼び登録操作を行うための一般利用者用乗場呼び釦、および、車椅子利用者が乗場呼び登録操作を行うための車椅子利用者用乗場呼び釦と、乗りかご上部に設置されたかご上報知器と、エレベータ制御装置とを備える。エレベータ制御装置は、点検モードで運転しており利用者による呼び操作に応答しない状態のときに、いずれかの階床の乗場操作盤の車椅子利用者用乗場呼び釦が操作されるとかご上報知器を鳴動させるとともに、各階の乗場表示装置に、当該車椅子利用者用乗場呼び釦が操作された階床の情報を表示させる。【選択図】図１
2020121819.tif 000002
【特許請求の範囲】
【請求項１】
建物の各階に設置された、乗場表示装置、一般利用者が乗場呼び登録操作を行うための一般利用者用乗場呼び釦、および、車椅子利用者が乗場呼び登録操作を行うための車椅子利用者用乗場呼び釦と、
乗りかご上部に設置されたかご上報知器と、
点検モードで運転しており、利用者による呼び操作に応答しない状態のときに、いずれかの階床の車椅子利用者用乗場呼び釦が操作されると、前記かご上報知器を鳴動させるとともに、各階の乗場表示装置に、当該車椅子利用者用乗場呼び釦が操作された階床の情報を表示させるエレベータ制御装置と
を備えることを特徴とするエレベータ。
【請求項２】
前記エレベータ制御装置は、前記かご上報知器を鳴動させるとともに前記車椅子利用者用乗場呼び釦が操作された階床の情報を表示させた後、前記車椅子利用者用乗場呼び釦が操作された階床に前記乗りかごが移動されて戸開され、前記点検モードから通常運転モードに切り替えられたことを検知すると、前記かご上報知器の鳴動および前記車椅子利用者用乗場呼び釦が操作された階床の情報の表示を停止させる
ことを特徴とする請求項１に記載のエレベータ。
【請求項３】
前記エレベータ制御装置は、前記かご上報知器の鳴動および前記車椅子利用者用乗場呼び釦が操作された階床の情報の表示を停止させた後、通常運転モードに切り替えられ、前記車椅子利用者の操作で登録された呼びへの応答が終了したことを検知すると、当該応答が終了したことを示すテキスト情報を各階の乗場表示装置に表示させる
ことを特徴とする請求項２に記載のエレベータ。
【請求項４】
建物の各階に設置された、乗場表示装置、一般利用者が乗場呼び登録操作を行うための一般利用者用乗場呼び釦、および、車椅子利用者が乗場呼び登録操作を行うための車椅子利用者用乗場呼び釦と、乗りかご上部に設置されたかご上報知器とに接続されたエレベータ制御装置が、
点検モードで運転しており利用者による呼び操作に応答しない状態のときに、いずれかの階床の車椅子利用者用乗場呼び釦が操作されると、前記かご上報知器を鳴動させるとともに、各階の乗場表示装置に、当該車椅子利用者用乗場呼び釦が操作された階床の情報を表示させる
ことを特徴とするエレベータ制御方法。
【発明の詳細な説明】
【技術分野】
【０００１】
本発明の実施形態は、エレベータおよびエレベータ制御方法に関する。
【背景技術】
【０００２】
複数階床を有する建物において、車椅子利用者が異なる階床間を移動する際には、階段での移動が困難であるためエレベータの利用が必須になる。その際、エレベータが点検作業中で利用できないときには、車椅子利用者が、エレベータに設置されている点検札に明示されたサービス情報センタの電話番号に電話をかけてエレベータの利用意思を伝えることで、サービス情報センタから点検作業員に連絡が入り、点検作業員によりエレベータが利用可能な状態に切り替えられる。
【先行技術文献】
【特許文献】
【０００３】
【特許文献１】特開２０１８−７０３３７号公報
【発明の概要】
【発明が解決しようとする課題】
【０００４】
上述したように車椅子利用者がサービス情報センタに連絡をとることで、点検作業中も車椅子利用者がエレベータを利用することができるようになるが、サービス情報センタを介して処理が行われるため、エレベータを利用しようとしてから実際に利用できる状態になるまでに時間がかかるという問題があった。
【０００５】
本発明は上記事情に鑑みてなされたものであり、点検作業中で利用者による呼び操作に応答しない状態であっても、車椅子利用者に対して迅速にエレベータの利用を可能にするエレベータおよびエレベータ制御方法の提供を目的とする。
【課題を解決するための手段】
【０００６】
上記目的を達成するための実施形態によればエレベータは、建物の各階に設置された、乗場表示装置、一般利用者が乗場呼び登録操作を行うための一般利用者用乗場呼び釦、および、車椅子利用者が乗場呼び登録操作を行うための車椅子利用者用乗場呼び釦と、乗りかご上部に設置されたかご上報知器と、エレベータ制御装置とを備える。エレベータ制御装置は、点検モードで運転しており利用者による呼び操作に応答しない状態のときに、いずれかの階床の乗場操作盤の車椅子利用者用乗場呼び釦が操作されるとかご上報知器を鳴動させるとともに、各階の乗場表示装置に、当該車椅子利用者用乗場呼び釦が操作された階床の情報を表示させる。
【図面の簡単な説明】
【０００７】
【図１】一実施形態によるエレベータの構成を示す全体図。
【図２】一実施形態によるエレベータの乗場操作盤を示す正面図。
【図３】一実施形態によるエレベータの制御装置の構成を示すブロック図。
【図４】一実施形態によるエレベータの動作を示すフローチャート。
【発明を実施するための形態】
【０００８】
〈一実施形態によるエレベータの構成〉
本発明の一実施形態によるエレベータの構成について、図１を参照して説明する。本実施形態によるエレベータ１は４階建ての建物に設置され、昇降路２の上部に設置された巻上げ機３と、巻上げ機３に掛け渡されたメインロープ４の一端に吊り下げられた乗りかご５と、他端に吊り下げられた釣り合い錘６と、建物の各階（１階〜４階）の乗場７−１〜７−４に設置された乗場ドア７１−１〜７１−４および乗場操作盤７２−１〜７２−４と、昇降路２の上部に設置されたエレベータ制御装置８とを備える。
【０００９】
乗りかご５は、エレベータ制御装置８にテールコード９を介して接続され、各階の乗場７−１〜７−４側の側壁に設置されたかごドア５１と、上部に設置されたかご上報知器５２とを有する。
【００１０】
乗場操作盤７２−１〜７２−４はそれぞれエレベータ制御装置８に信号線を介して接続され、乗場表示装置７２１−１〜７２１−４と、一般利用者用操作エリア７２２−２と、車椅子利用者用操作エリア７２３−１〜７２３−４とを有する。乗場操作盤の一例として、図２に、２階の乗場操作盤７２−２の正面図を示す。２階の乗場操作盤７２−２内の一般利用者用操作エリア７２２−２には、上方向乗場呼び釦７２２ａおよび下方向乗場呼び釦７２２ｂが設置され、車椅子利用者用操作エリア７２３−２には上方向乗場呼び釦７２３ａおよび下方向乗場呼び釦７２３ｂが設置される。３階の乗場操作盤７２−３も、２階の乗場操作盤７２−２と同様の構成を有する。１階の乗場操作盤７２−１内の一般利用者用操作エリア７２２−１には上方向乗場呼び釦７２２ａのみが設置され、車椅子利用者用操作エリア７２３−１には上方向乗場呼び釦７２３ａのみが設置される。４階の乗場操作盤７２−４内の一般利用者用操作エリア７２２−４には下方向乗場呼び釦７２２ｂのみが設置され、車椅子利用者用操作エリア７２３−４には下方向乗場呼び釦７２３ｂのみが設置される。以下、乗場７−１〜７−４のうちいずれの乗場であるかを特定する必要がない場合は乗場７と記載する。同様に、乗場ドア、乗場操作盤、乗場表示装置、一般利用者用操作エリア、車椅子利用者用操作エリアについても、いずれの階のものであるかを特定する必要がない場合は、それぞれ乗場ドア７１、乗場操作盤７２、乗場表示装置７２１、一般利用者用操作エリア７２２、車椅子利用者用操作エリア７２３と記載する。
【００１１】
エレベータ制御装置８は、図３に示すように、乗場操作情報取得部８１と、呼び登録部８２と、運転制御部８３とを有する。乗場操作情報取得部８１は、乗場操作盤７２−１〜７２−４で利用者により乗場呼び釦７２２ａ、７２２ｂ、７２３ａ、および７２３ｂが操作されたときの操作情報を取得する。呼び登録部８２は、乗場操作情報取得部８１で取得された操作情報に基づいて、該当する乗場呼びを登録する。また呼び登録部８２は、乗りかご５内のかご内操作盤（図示せず）で利用者により行先階を指定する操作が行われたときの操作情報に基づいて、該当するかご呼びを登録する。
【００１２】
運転制御部８３は、点検モードによる運転中に、乗場操作盤７２−１〜７２−４のいずれかから車椅子利用者用操作エリア７２３−１〜７２３−４の上方向乗場呼び釦７２３ａまたは下方向乗場呼び釦７２３ｂの操作情報を取得すると、乗りかご５のかご上報知器５２を鳴動させるとともに、各階の乗場操作盤７２−１〜７２−４の乗場表示装置７２１−１〜７２１−４に車椅子利用者用の乗場呼び操作が行われた階床の情報を表示させる。
【００１３】
〈一実施形態によるエレベータの動作〉
次に、本実施形態によるエレベータ１の動作を、図４のフローチャートを参照して説明する。エレベータ１が通常運転モードで動作しているときに（Ｓ１）、保守員により点検モードへの切り替え操作が行われると、エレベータ制御装置８によりエレベータ１内が点検モードに切り替えられる（Ｓ２の「YES」）。点検モードに切り替えられると、点検札や乗場表示装置７２１−１〜７２１−４への表示を用いて、エレベータ１が点検中であり一般利用者は利用不可能な状態であることが各階の乗場７−１〜７−４にいる利用者に報知される。点検モード中は、エレベータ１は利用者による呼び操作に応答しない状態になり、保守員が乗りかご５の上部や乗りかご５内、各階の乗場７−１〜７−４等で点検作業を行う。
【００１４】
点検モードに切り替えられた後、３階の乗場７−３にいる車椅子利用者が下階に移動するためにエレベータ１を利用する場合について説明する。車椅子利用者が３階の乗場７−３の乗場操作盤７２−３の車椅子利用者用操作エリア７２３−３で下方向乗場呼び釦７２３ｂを操作すると、当該操作情報がエレベータ制御装置８の乗場操作情報取得部８１で取得される。
【００１５】
乗場操作情報取得部８１で車椅子利用者用操作エリア７２３−３の下方向乗場呼び釦７２３ｂの操作情報が取得されると、運転制御部８３により、乗りかご５のかご上報知器５２が鳴動されるとともに、各階の乗場操作盤７２−１〜７２−４の乗場表示装置７２１−１〜７２１−４に車椅子利用者用の乗場呼び操作が行われた「３階」の情報が表示される（Ｓ４）。
【００１６】
かご上報知器５２が鳴動されると、乗りかご５上部で点検作業をしている保守員により、車椅子利用者用の乗場呼び操作釦が操作されたことが認識され、保守員が最寄階の乗場７に移動する。最寄階の乗場７に移動すると、保守員は当該階の乗場表示装置７２１に表示された情報を視認することで、３階で車椅子利用者用の乗場呼び操作が行われたことを認識して乗りかご５を３階に移動させて戸開させ、通常運転モードに切り替える操作を行う。エレベータ１が通常運転モードに切り替えられると（Ｓ５の「YES」）、かご上報知器５２の鳴動および、各階の乗場表示装置７２１−１〜７２１−４への「３階」の表示が停止される（Ｓ６）。
【００１７】
乗りかご５が３階で戸開され、エレベータ１が通常運転モードに切り替えられたことにより車椅子利用者はエレベータ１を利用できる状況になり、乗りかご５に乗り込んで行先階、例えば１階を指定する操作を行う。車椅子利用者により１階を指定する操作が行われると、当該操作情報に基づいて該当するかご呼びが呼び登録部８２に登録され、運転制御部８３より乗りかご５が戸閉されて１階に移動される。１階に乗りかご５が着床して戸開すると、運転制御部８３により、車椅子利用者の操作で登録された呼びへの応答が終了したことが認識され（Ｓ７の「YES」）、該当するテキスト情報（例えば、「利用終了」）が各階の乗場表示装置７２１−１〜７２１−４に表示される（Ｓ８）。
【００１８】
表示されたテキスト情報を保守員が認識すると、点検作業を再開するために再度点検モードへの切り替え操作を行う。エレベータ１が点検モードに切り替えられると（Ｓ９の「YES」）、テキスト情報の表示が停止される（Ｓ１０）。その後、保守員により点検作業が行われている間に再度車椅子利用者用操作エリア７２３−１〜７２３−４の乗場呼び釦が操作されるとステップＳ３〜Ｓ１０の処理が実行される（Ｓ１１の「NO」→ステップＳ３〜Ｓ１０）。
【００１９】
点検作業が終了して保守員によりエレベータ１が通常運転モードに切り替えられると（Ｓ１１の「YES」）、ステップＳ１に戻る。
【００２０】
以上の実施形態によれば、点検作業中で利用者による呼び操作に応答しない状態であっても、車椅子利用者に対して迅速にエレベータの利用を可能にする。
【００２１】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００２２】
１…エレベータ、２…昇降路、３…巻上げ機、４…メインロープ、５…乗りかご、６…釣り合い錘、７，７−１〜７−４…乗場、８…エレベータ制御装置、９…テールコード、５１…かごドア、５２…かご上報知器、７１，７１−１〜７１−４…乗場ドア、７２，７２−１〜７２−４…乗場操作盤、８１…乗場操作情報取得部、８２…呼び登録部、８３…運転制御部、７２１，７２１−１〜７２１−４…乗場表示装置、７２２，７２２−１〜７２２−４…一般利用者用操作エリア、７２２ａ…上方向乗場呼び釦、７２２ｂ…下方向乗場呼び釦、７２３，７２３−１〜７２３−４…車椅子利用者用操作エリア、７２３ａ…上方向乗場呼び釦、７２３ｂ…下方向乗場呼び釦
【図１】
2020121819.tif 000003
【図２】
2020121819.tif 000004
【図３】
2020121819.tif 000005
【図４】
2020121819.tif 000006
【手続補正書】
【提出日】令和2年5月11日(2020.5.11)
【手続補正１】
【補正対象書類名】特許請求の範囲
【補正対象項目名】全文
【補正方法】変更
【補正の内容】
【特許請求の範囲】
【請求項１】
建物の各階に設置された、乗場表示装置、一般利用者が乗場呼び登録操作を行うための一般利用者用乗場呼び釦、および、車椅子利用者が乗場呼び登録操作を行うための車椅子利用者用乗場呼び釦と、
乗りかご上部に設置されたかご上報知器と、
点検モードで運転しており、利用者による呼び操作に応答しない状態のときに、いずれかの階床の車椅子利用者用乗場呼び釦が操作されると、前記かご上報知器を鳴動させるとともに、各階の乗場表示装置に、当該車椅子利用者用乗場呼び釦が操作された階床の情報を表示させ、前記車椅子利用者用乗場呼び釦が操作された階床に前記乗りかごが移動されて戸開され、前記点検モードから通常運転モードに切り替えられたことを検知すると、前記かご上報知器の鳴動および前記車椅子利用者用乗場呼び釦が操作された階床の情報の表示を停止させ、前記車椅子利用者の操作で登録された呼びへの応答が終了したことを検知すると、当該応答が終了したことを示すテキスト情報を各階の乗場表示装置に表示させるエレベータ制御装置と
を備えることを特徴とするエレベータ。
【請求項２】
建物の各階に設置された、乗場表示装置、一般利用者が乗場呼び登録操作を行うための一般利用者用乗場呼び釦、および、車椅子利用者が乗場呼び登録操作を行うための車椅子利用者用乗場呼び釦と、乗りかご上部に設置されたかご上報知器とに接続されたエレベータ制御装置が、
点検モードで運転しており利用者による呼び操作に応答しない状態のときに、いずれかの階床の車椅子利用者用乗場呼び釦が操作されると、前記かご上報知器を鳴動させるとともに、各階の乗場表示装置に、当該車椅子利用者用乗場呼び釦が操作された階床の情報を表示させ、前記車椅子利用者用乗場呼び釦が操作された階床に前記乗りかごが移動されて戸開され、前記点検モードから通常運転モードに切り替えられたことを検知すると、前記かご上報知器の鳴動および前記車椅子利用者用乗場呼び釦が操作された階床の情報の表示を停止させ、前記車椅子利用者の操作で登録された呼びへの応答が終了したことを検知すると、当該応答が終了したことを示すテキスト情報を各階の乗場表示装置に表示させる
ことを特徴とするエレベータ制御方法。
【手続補正２】
【補正対象書類名】明細書
【補正対象項目名】０００６
【補正方法】変更
【補正の内容】
【０００６】
上記目的を達成するための実施形態によればエレベータは、建物の各階に設置された、乗場表示装置、一般利用者が乗場呼び登録操作を行うための一般利用者用乗場呼び釦、および、車椅子利用者が乗場呼び登録操作を行うための車椅子利用者用乗場呼び釦と、乗りかご上部に設置されたかご上報知器と、エレベータ制御装置とを備える。エレベータ制御装置は、点検モードで運転しており利用者による呼び操作に応答しない状態のときに、いずれかの階床の乗場操作盤の車椅子利用者用乗場呼び釦が操作されるとかご上報知器を鳴動させるとともに、各階の乗場表示装置に、当該車椅子利用者用乗場呼び釦が操作された階床の情報を表示させ、車椅子利用者用乗場呼び釦が操作された階床に乗りかごが移動されて戸開され、点検モードから通常運転モードに切り替えられたことを検知すると、かご上報知器の鳴動および車椅子利用者用乗場呼び釦が操作された階床の情報の表示を停止させ、車椅子利用者の操作で登録された呼びへの応答が終了したことを検知すると、当該応答が終了したことを示すテキスト情報を各階の乗場表示装置に表示させる。